(57)【要約】      （修正有）【課題】手又は指が直接触れることなく、タッチパネル、ボタンまたはスイッチなどを押圧可能であるとともに、ノブ、取手または吊革などに掛止可能な、接触具を提供する。【解決手段】接触具１００は、指を貫入させて接触具を把持する貫入環３と、貫入環から貫入環の略接線方向の一方に突設されタッチパネル等を押圧する第１押圧棒１と、第１押圧棒の先端近傍から第１押圧棒に対して貫入環と同じ側に突設されタッチパネル等を押圧する第２押圧棒２と、を備える。接触具の後側に配置された貫入環と、上側の第１押圧棒と、前側の第２押圧棒と、に囲まれ凹形状をなす部分が、ノブ等に掛止可能な掛止部４を形成し、第１押圧棒と第２押圧棒との掛止部内側の交差角αが鋭角で形成されている。【選択図】図１
0003227712.tif 000002
【実用新案登録請求の範囲】
【請求項１】
タッチパネル、ボタン若しくはスイッチなどを押圧可能であるとともに、ノブ、取手若しくは吊革などに掛止可能な、接触具であって、
指を貫入させる貫入環と、該貫入環から該貫入環の略接線方向の一方に突設された第１押圧棒と、該第１押圧棒の先端近傍から該第１押圧棒に対して該貫入環と同じ側に突設された第２押圧棒と、を備え、
該貫入環、該第１押圧棒及び該第２押圧棒から形成される凹形状をなす部分が、該ノブ、該取手又は該吊革などに掛止可能な掛止部を形成し、
該第１押圧棒と該第２押圧棒との該掛止部内側の交差角が鋭角であることを特徴とする接触具。
【請求項２】
少なくとも表面が導電材料から形成されていることを特徴とする請求項１に記載の接触具。
【請求項３】
前記導電材料が銅又は銀であることを特徴とする請求項２に記載の接触具。
【請求項４】
上端部に、鋸歯状の滑止部が形成されていることを特徴とする請求項１に記載の接触具。
【考案の詳細な説明】
【技術分野】
【０００１】
本考案は、手又は指が直接触れることなく、タッチパネル、ボタン若しくはスイッチなどを押圧可能であるとともに、ノブ、取手若しくは吊革などに掛止可能な、接触具に関する。
【背景技術】
【０００２】
多くの人が押圧するタッチパネル、ボタン若しくはスイッチなど（以下、タッチパネル等と略すことがある。）、並びに、多くの人が把持するノブ、取手若しくは吊革など（以下、ノブ等と略すことがある。）は、人が手又は指で直接に触れることによって、ウィルスが付着し、多くの人にウィルス感染を広める原因となることがある。手又は指が直接触れずにタッチパネル等又はノブ等を押圧又は把持するために、従来、下記特許文献１において、抗菌性金属を含有させた溶解性ガラスの微粉末を表面に分散させた抗菌性樹脂製手袋が知られている。この抗菌性樹脂製手袋は、手に装着することにより、手又は指が直接触れることなく、タッチパネル等又はノブ等を押圧又は把持することができる。
【先行技術文献】
【特許文献】
【０００３】
【特許文献１】実開平０３−０６３５１５号公報
【考案の概要】
【考案が解決しようとする課題】
【０００４】
しかしながら、抗菌性樹脂製手袋は、手又は指が直接触れないように、タッチパネル等又はノブ等を押圧又は把持するには、手に装着させる必要がある。しかし、樹脂からなる抗菌性樹脂製手袋は、長時間の装着に適したものでなく、タッチパネル等又はノブ等に触れる際ごとに、手への装着と脱着とを繰り返す必要があり、煩雑さを伴うものであった。
【０００５】
本考案は、上述の点に鑑みてなされたものであり、手又は指が直接触れることなく、タッチパネル、ボタン若しくはスイッチなどを押圧可能であるとともに、ノブ、取手若しくは吊革などに掛止可能な、接触具を提供することを目的とする。
【課題を解決するための手段】
【０００６】
本考案に係る接触具は、タッチパネル、ボタン若しくはスイッチなどを押圧可能であるとともに、ノブ、取手若しくは吊革などに掛止可能な、接触具であって、
指を貫入させる貫入環と、該貫入環から該貫入環の略接線方向の一方に突設された第１押圧棒と、該第１押圧棒の先端近傍から該第１押圧棒に対して該貫入環と同じ側に突設された第２押圧棒と、を備え、
該貫入環、該第１押圧棒及び該第２押圧棒から形成される凹形状をなす部分が、該ノブ、該取手又は該吊革などに掛止可能な掛止部を形成し、
該第１押圧棒と該第２押圧棒との該掛止部内側の交差角が鋭角であることを特徴とする。
【０００７】
本考案に係る接触具によれば、指を貫入させる貫入環と、貫入環から貫入環の略接線方向の一方に突設された第１押圧棒と、第１押圧棒の先端近傍から第１押圧棒に対して貫入環と同じ側に突設された第２押圧棒と、を備えている。タッチパネル等を押圧する操作者は、指を貫入環に貫入させ、接触具を把持することにより、第１押圧棒又は第２押圧棒によって、手又は指をタッチパネル等に直接触れさせることなく、タッチパネル等を押圧することができる。また、貫入環、第１押圧棒及び第２押圧棒によって三方を囲まれた凹形状をなす部分が、ノブ等に掛止可能な掛止部を形成する。操作者は、接触具を把持し、ノブ等に掛止部を掛止することにより、手又は指をノブ等に直接触れさせることなく、ノブ等に掛止させることができる。このとき、ノブ等に掛止する第１押圧棒と第２押圧棒は、掛止部側の交差角が鋭角であり、ノブ等が鋭角に交差する第１押圧棒と第２押圧棒に挟まれるため、ノブ等を外れ難いものとすることができる。
【０００８】
ここで、上記接触具において、少なくとも表面が導電材料から形成されているものとすることができる。
【０００９】
これによれば、接触具の表面は、電気をよく通すため、押圧するタッチパネルが導電方式のタッチパネルであっても、操作者が接触具を介してタッチパネルに接触することにより、タッチパネルに押圧を感知させることができる。
【００１０】
また、上記接触具において、前記導電材料が銅又は銀であるものとすることができる。
【００１１】
これによれば、銅及び銀が電気抵抗の小さい金属であるため、導電方式のタッチパネルに対して、操作者が接触具を介してタッチパネルに接触することにより、タッチパネルに押圧を感知させることができる。
【００１２】
また、上記接触具において、上端部に、鋸歯状の滑止部が形成されているものとすることができる。
【００１３】
これによれば、上端部に形成された鋸歯状の滑止部により、操作者の指が滑り難くなるため、接触具の操作時の操作性を向上させることができる。
【考案の効果】
【００１４】
本考案に係る接触具によれば、操作者は、手又は指を直接触れさせることなく、タッチパネル、ボタン若しくはスイッチなどを押圧可能であるとともに、ノブ、取手若しくは吊革などに掛止可能とすることができる。
【図面の簡単な説明】
【００１５】
【図１】Ａは本考案の実施形態の接触具の右側面図、Ｂはその後方からの斜視図である。
【図２】実施形態の接触具を用いて携帯端末のタッチパネルを押圧するイメージ図である。
【図３】実施形態の接触具を用いてドアのノブに掛止して回動させるイメージ図である。
【考案を実施するための形態】
【００１６】
以下、本考案に係る接触具１００を図面に基づいて説明する。図１〜３に示すように、接触具１００は、手又は指Ｆを直接触れさせることなく、タッチパネルＰ等（タッチパネル、ボタン若しくはスイッチなど）を押圧する、又は、ノブＫ等（ノブ、取手若しくは吊革など）に掛止して回動させることができるものである。接触具１００は、図１に示すように、指を貫入させて接触具１００を把持する貫入環３と、貫入環３から貫入環３の略接線方向の一方に突設されタッチパネルＰ等を押圧する第１押圧棒１と、第１押圧棒１の先端近傍から貫入環３側に突設されタッチパネルＰ等を押圧する第２押圧棒２と、を備えている。ここで、接触具１００について説明する際の接触具１００の前後の向きは、図１〜３に示すように、第１押圧棒１の第１押圧部１１側を前とし、貫入環３を有する側を後とする。上下の向きは、第１押圧棒１を有する側を上とし、第２押圧棒２の第２押圧部２１側を下とする。左右は、接触具１００を前側から見た際の左右とし、図示で使用する、ＦＲは前、ＲＥは後、ＵＰは上、ＤＯは下、ＬＥは左、ＲＩは右を示す。
【００１７】
接触具１００は、図１に示すように、貫入環３、第１押圧棒１及び第２押圧棒２からなり、厚さ３ｍｍの銅板を型抜き成形することによって成形されることにより、接触具１００の左側面と右側面は、互いに平行な平面とされている。なお、銅板の厚さの３ｍｍは、接触具１００の左右方向の厚さとなる。銅板から成形されることによって、接触具１００は、電気をよく通すため、押圧するタッチパネルが導電方式のタッチパネルであっても、押圧することにより導電し、タッチパネルに押圧を感知させることができるものである。
【００１８】
貫入環３は、貫入環３の貫入孔３１に指を貫入させて接触具１００を把持するための環である。操作者は、貫入環３の貫入孔３１に指を貫入させて接触具１００を把持し、次に述べる第１押圧棒１又は第２押圧棒２を介してタッチパネルＰ等を押圧することによって、手又は指ＦがタッチパネルＰ等に直接触れることなくタッチパネルＰ等を押圧することができる。実施形態では、貫入環３の貫入孔３１は、円形とし、直径は指１本が挿通可能な２５ｍｍとした。
【００１９】
第１押圧棒１は、貫入環３の上端から貫入環３の略接線方向の一方となる前方に突設され、先端がタッチパネルＰ等を押圧する第１押圧部１１となる。第１押圧棒１は、左右方向の厚さ３ｍｍに対して、突設方向と直交する上下方向の幅が５ｍｍ、貫入環３の上端から前方の長さが６０ｍｍの棒状体であり、第１押圧部１１となる前方先端側が後方基端側よりも上下方向の幅が細くされた形状であり、タッチパネルＰ等に対して細かい操作が可能であるものとしている。
【００２０】
第２押圧棒２は、第１押圧棒１の先端（第１押圧部１１）近傍から、第１押圧棒１に対して貫入環３と同じ側となる略下方向に突設され、先端がタッチパネルＰ等を押圧する第２押圧部２１となる。第２押圧棒２は、左右方向の厚さ３ｍｍに対して、ほぼ前後方向の幅が５ｍｍ、第１押圧棒１の先端近傍からの長さが２０ｍｍの棒状体である。
【００２１】
接触具１００の後側に配置された貫入環３の前側縁部４２と、上側に配置された第１押圧棒１の下側縁部４３と、前側に配置された第２押圧棒２の後側縁部４４と、に囲まれ、下側に開口４１を有する凹形状が、ノブＫ等に掛止する掛止部４を形成する。図３に示すように、使用者が接触具１００を把持し、接触具１００の開口４１から、ノブＫ等に掛止することによって、使用者の手又は指Ｆが直接ノブＫ等に触れることなく、ノブＫ等に掛止して回動させることができる。開口４１の（前後方向の）長さは、２８ｍｍとした。図１に示すように、掛止部４のノブＫ等に掛止する第１押圧棒１と第２押圧棒２は、掛止部４側の交差角αが７５°の鋭角で形成されている。このため、ノブＫ等に掛止して回動させるとき、ノブＫ等は、鋭角をなす第１押圧棒１と第２押圧棒２に挟まれて外れ難いものとすることができる。
【００２２】
貫入環３から第１押圧棒１にかけての接触具１００の上端部には、鋸歯状の滑止部５が形成され、指Ｆが滑りにくいようにして、接触具１００の操作時の操作性を向上させている。貫入環３の下側に、貫入環３に貫入させた指の隣の指が楽に着座することができる凹欠部３２が設けられ、接触具１００の後方下端部には、アクセサリーコードなどを取付ける通し穴３３が形成されている。
【００２３】
次に、接触具１００の使用方法について説明する。接触具１００の使用方法は、タッチパネルＰを押圧して使用する方法、及び、ドアのノブＫに掛止して回動させて使用する方法を例に説明する。
【００２４】
タッチパネルＰを押圧して使用する方法は、タッチパネルＰに接触具１００を介して押圧する方法であり、図２に示すように、操作者は人差し指Ｆを貫入環３の貫入孔３１に貫入させ、親指を滑止部５に添え、中指を凹欠部３２に着座させるように、接触具１００を把持し、第１押圧棒１又は第２押圧棒２でタッチパネルＰを押圧する。このとき、第１押圧棒１が人差し指を伸ばした状態のように配されるため、操作者は人差し指を伸ばした状態で押圧するようにタッチパネルＰを押圧することができる。また、第２押圧棒２が下に向けて配されているため、操作者はタッチペンを用いて押圧するようにタッチパネルＰを押圧することができる。これにより、操作者は、手又は指Ｆを直接タッチパネルＰに触れさせることなく、タッチパネルＰを押圧することができる。
【００２５】
ノブＫに掛止して回動させて使用する方法は、図３に示すように、操作者は人差し指を貫入環３の貫入孔３１に貫入させ、親指を滑止部５に添え、中指を凹欠部３２に着座させるように、接触具１００を把持し、ノブＫを開口４１から掛止部４に掛止させる。操作者は、把持した接触具１００を用いて、ノブＫを回動させることによって、操作者の手又は指Ｆを直接ノブＫに触れさせることなく、ドアを開けることができる。このとき、ノブＫに掛止する第１押圧棒１と第２押圧棒２は、掛止部４側の交差角αが鋭角であり、ノブＫが鋭角に交差する第１押圧棒１と第２押圧棒２に挟まれるため、ノブＫを掛止部４から外れ難いものとすることができる。
【００２６】
また、実施形態の接触具１００は、その構成を以下のような形態に変更しても実施することができる。
【００２７】
実施形態の接触具１００では、貫入環３の貫入孔３１は直径２５ｍｍの円形としたが、貫入環３の貫入孔３１の直径は、２０〜５０ｍｍであれば、接触具１００として使用することができる。貫入環３の貫入孔３１の直径が２０ｍｍ未満だと、指の太い人が使用した際に、窮屈さを感じさせるおそれがある。一方、５０ｍｍを超えると、接触具１００の全体が大きくなり、取扱性が劣るおそれがある。より好ましくは、貫入環３の貫入孔３１の直径は２１〜３０ｍｍであり、さらに好ましくは、２２〜２８ｍｍである。
【００２８】
実施形態の接触具１００では、貫入環３の貫入孔３１は直径２５ｍｍの円形としたが、貫入環３と貫入孔３１は、長方形形状、多角形形状又は楕円形状であっても、接触具１００として使用することができる。
【００２９】
実施形態の接触具１００では、貫入環３と貫入孔３１は１つ備えるものとしたが、貫入環３と貫入孔３１は２つ又は３つ備えるものであっても、接触具１００として使用することができる。
【００３０】
実施形態の接触具１００では、掛止部４の開口４１の長さは２８ｍｍとしたが、掛止部４の開口４１の長さは、２０〜５０ｍｍであれば、接触具１００として使用することができる。掛止部４の開口４１の長さが２０ｍｍ未満だと、ノブＫの太さによっては、掛止できないおそれがある。一方、５０ｍｍを超えると、接触具１００の全体が大きくなり、取扱性が劣るおそれがある。より好ましくは、開口４１の長さは２３〜３５ｍｍであり、さらに好ましくは、２５〜３０ｍｍである。
【００３１】
実施形態の接触具１００では、ノブＫに掛止する第１押圧棒１と第２押圧棒２の掛止部側の交差角αは７５°の鋭角としたが、第１押圧棒１と第２押圧棒２の掛止部側の交差角αは、３０〜８９°であれば、ノブＫに掛止して回動させる際に、ノブＫが第１押圧棒１と第２押圧棒２に挟まれて外れ難いものとすることができる。第１押圧棒１と第２押圧棒２の掛止部側の交差角αが３０°未満だと、第２押圧棒２が上下方向に対して傾斜しているため、第２押圧棒２でのタッチパネルＰの押圧が困難になるおそれがある。一方、交差角αが８９°を超えると、ノブＫに掛止して回動させる際に、ノブＫが掛止部４から外れ易くなるおそれがある。より好ましくは、交差角αは、４５〜８５°であり、さらに好ましくは、６０〜８０°である。
【００３２】
実施形態の接触具１００は銅板を型抜き成形することによって形成したが、導電性を有する材料であれば、接触具１００として使用することができる。導電性を有する材料の中でも、銅及び銀が抗菌性を有しているため、より好んで使用することができる。
【００３３】
また、実施形態の接触具１００に、抗菌性を付与する方法として、接触具１００の表面の一部に、光触媒効果を有する酸化チタン（アナターゼ構造）を蒸着させることも取り得る。
【００３４】
実施形態の接触具１００は銅板を型抜き成形することによって形成したが、非金属の接触具を形成し、非金属の接触具に導電性を有する材料をコーティングすることによって、実施形態の接触具１００とすることができる。非金属として、セラミックス焼成体、石材研磨体などを使用することができる。導電性を有する材料として、金属、特に、抗菌性を有する銅、銀を使用することができる。コーティングする方法としては、化学蒸着法、物理蒸着法のいずれにしても使用することができる。
【００３５】
実施形態の接触具１００は銅板を型抜き成形することによって形成したが、接触具１００は、銅の鋳型成形、銅のインゴットから削り出し成形、によっても形成することができる。
【符号の説明】
【００３６】
１…第１押圧棒、２…第２押圧棒、３…貫入環、４…掛止部、５…滑止部、１１…第１押圧部、２１…第２押圧部、３１…貫入孔、３２…凹欠部、３３…通し穴、４１…開口、１００…接触具、Ｆ…指、Ｋ…ノブ、Ｐ…タッチパネル、α…交差角。
【図１】
0003227712.tif 000003
【図２】
0003227712.tif 000004
【図３】
0003227712.tif 000005